(57)【要約】【課題】機器を自動制御して利便性を高めることが可能な制御装置、制御システム及び制御方法を提供することである。【解決手段】通信部１１は、ユーザ端末と通信を行う。判定部１２ａは、通信部１１によって行われたユーザ端末との通信に応じて、ユーザ端末が所定のエリア内に進入したかエリア外に退出したかを判定する。制御部１２ｂは、判定部１２ａによってユーザ端末がエリア内に進入したと判定された場合には、該ユーザ端末の識別情報に対応するエリア内制御対象機器および制御内容を登録機器リスト記憶部１３ａから取得し、該制御内容に基づいて該エリア内制御対象機器を制御し、判定部１２ａによってユーザ端末がエリア外に退出したと判定された場合には、該ユーザ端末の識別情報に対応するエリア外制御対象機器および制御内容を登録機器リスト記憶部１３ａから取得し、該制御内容に基づいて該エリア外制御対象機器を制御する。【選択図】図２
2016181752.tif 000002
【特許請求の範囲】
【請求項１】
ユーザ端末を識別する識別情報と、該ユーザ端末が所定のエリア内に進入した場合に制御するエリア内制御対象機器および該エリア内制御対象機器の制御内容とを対応付けて記憶するとともに、前記ユーザ端末を識別する識別情報と、該ユーザ端末が所定のエリア外に退出した場合に制御するエリア外制御対象機器および該エリア外制御対象機器の制御内容とを対応付けて記憶する記憶部と；
前記ユーザ端末と通信を行う通信部と；
前記通信部によって行われた前記ユーザ端末との通信に応じて、前記ユーザ端末が所定のエリア内に進入したかエリア外に退出したかを判定する判定部と；
前記判定部によって前記ユーザ端末がエリア内に進入したと判定された場合には、該ユーザ端末の識別情報に対応するエリア内制御対象機器および制御内容を前記記憶部から取得し、該制御内容に基づいて該エリア内制御対象機器を制御し、前記判定部によって前記ユーザ端末がエリア外に退出したと判定された場合には、該ユーザ端末の識別情報に対応するエリア外制御対象機器および制御内容を前記記憶部から取得し、該制御内容に基づいて該エリア外制御対象機器を制御する制御部と；
を具備する制御装置。
【請求項２】
前記判定部は、前記通信部によって機器発見したユーザ端末をエリア内に進入したと判定し、機器発見で見つからないユーザ端末をエリア外に退出したと判定する請求項１に記載の制御装置。
【請求項３】
前記判定部は、前記通信部によって通信接続が確立したユーザ端末をエリア内に進入したと判定し、通信接続が切断したユーザ端末をエリア外に退出したと判定する請求項１に記載の制御装置。
【請求項４】
前記記憶部は、前記識別情報に対応付けて、前記エリア内制御対象機器を制御する日時または曜日の範囲と、前記エリア外制御対象機器を制御する日時または曜日の範囲をさらに記憶し、
前記制御部は、前記判定部によって前記ユーザ端末がエリア内に進入したと判定された際に、前記エリア内制御対象機器および前記制御内容とともに、前記日時または曜日の範囲を前記記憶部から取得し、該日時または曜日の範囲に現在の日時または現在の曜日が含まれる場合には、該エリア内制御対象機器を制御し、前記判定部によって前記ユーザ端末がエリア外に退出したと判定された際に、前記エリア外制御対象機器および前記制御内容とともに、前記日時または曜日の範囲を前記記憶部から取得し、該日時または曜日の範囲に現在の日時または現在の曜日が含まれる場合には、該エリア内制御対象機器を制御する請求項１〜３のいずれか一つに記載の制御装置。
【請求項５】
前記判定部は、前記通信部による前記ユーザ端末との通信信号強度を用いて、前記ユーザ端末との距離をさらに判定する請求項１〜４のいずれか一つに記載の制御装置。
【請求項６】
前記判定部は、前記通信部によって行われた前記ユーザ端末との通信に応じて、複数のユーザ端末が所定のエリア内に進入したかエリア外に退出したかを判定し、
前記判定部によって前記複数のユーザ端末がエリア内に進入したと判定された場合には、各ユーザ端末の識別情報に対応するエリア内制御対象機器および制御内容を前記記憶部からそれぞれ取得し、複数の制御内容に基づいて該エリア内制御対象機器を制御し、前記判定部によって前記複数のユーザ端末がエリア外に退出したと判定された場合には、各ユーザ端末の識別情報に対応するエリア外制御対象機器および制御内容を前記記憶部からそれぞれ取得し、複数の制御内容に基づいて該エリア外制御対象機器を制御する請求項１〜５のいずれか一つに記載の制御装置。
【請求項７】
ユーザ端末と、制御対象の機器と、制御装置とを有する制御システムであって、
前記制御装置が、
前記ユーザ端末を識別する識別情報と、該ユーザ端末が所定のエリア内に進入した場合に制御するエリア内制御対象機器および該エリア内制御対象機器の制御内容とを対応付けて記憶するとともに、前記ユーザ端末を識別する識別情報と、該ユーザ端末が所定のエリア外に退出した場合に制御するエリア外制御対象機器および該エリア外制御対象機器の制御内容とを対応付けて記憶する記憶部と；
前記ユーザ端末と通信を行う通信部と；
前記通信部によって行われた前記ユーザ端末との通信に応じて、前記ユーザ端末が所定のエリア内に進入したかエリア外に退出したかを判定する判定部と；
前記判定部によって前記ユーザ端末がエリア内に進入したと判定された場合には、該ユーザ端末の識別情報に対応するエリア内制御対象機器および制御内容を前記記憶部から取得し、該制御内容に基づいて該エリア内制御対象機器を制御し、前記判定部によって前記ユーザ端末がエリア外に退出したと判定された場合には、該ユーザ端末の識別情報に対応するエリア外制御対象機器および制御内容を前記記憶部から取得し、該制御内容に基づいて該エリア外制御対象機器を制御する制御部と；
を具備する制御システム。
【請求項８】
制御装置によって実行される制御方法であって、
前記制御装置が、ユーザ端末を識別する識別情報と、該ユーザ端末が所定のエリア内に進入した場合に制御するエリア内制御対象機器および該エリア内制御対象機器の制御内容とを対応付けて記憶するとともに、前記ユーザ端末を識別する識別情報と、該ユーザ端末が所定のエリア外に退出した場合に制御するエリア外制御対象機器および該エリア外制御対象機器の制御内容とを対応付けて記憶する記憶部を具備し、
前記ユーザ端末と通信を行う通信ステップと；
前記通信ステップによって行われた前記ユーザ端末との通信に応じて、前記ユーザ端末が所定のエリア内に進入したかエリア外に退出したかを判定する判定ステップと；
前記判定ステップによって前記ユーザ端末がエリア内に進入したと判定された場合には、該ユーザ端末の識別情報に対応するエリア内制御対象機器および制御内容を前記記憶部から取得し、該制御内容に基づいて該エリア内制御対象機器を制御し、前記判定ステップによって前記ユーザ端末がエリア外に退出したと判定された場合には、該ユーザ端末の識別情報に対応するエリア外制御対象機器および制御内容を前記記憶部から取得し、該制御内容に基づいて該エリア外制御対象機器を制御する制御ステップと；
を含んだ制御方法。
【発明の詳細な説明】
【技術分野】
【０００１】
本発明の実施形態は、制御装置、制御システム及び制御方法に関する。
【背景技術】
【０００２】
昨今は一般家庭にＨＥＭＳ（Home  Energy  Management  System）の導入が進んでいる。ＨＥＭＳは、日本であれば通信方式としてＥＣＨＯＮＥＴＬｉｔｅを使用することが一般的であり、ＥＣＨＯＮＥＴＬｉｔｅによる制御によりコントロール可能なＬＥＤ照明やエアコンといった機器が各社から発売されている。
【０００３】
また、ＨＥＭＳのコントロールは家庭内にホームゲートウェイを設置し、このホームゲートウェイを介して各種家電機器のコントロールを行い、また、家電のコントロールを行う操作はスマートフォンやタブレットのようなユーザインターフェースを備えたデバイス上のＷｅｂブラウザやアプリケーションにより提供された機能により実現していることが多い。
【０００４】
そこで、例えばユーザが自宅に帰宅して家の照明をＯＮしたり、エアコンをＯＮするような場面では、そのユーザが家の中に入った後、スマートフォンのＨＥＭＳアプリケーションを起動して、照明のリモコン画面を表示して照明をＯＮする操作を行ったり、エアコンのリモコン画面を表示してエアコンをＯＮする操作を行っていた。
【先行技術文献】
【非特許文献】
【０００５】
【非特許文献１】“ホームＩＴシステム  東芝ＨＥＭＳ”、［online］、［平成２７年３月１８日検索］、インターネット＜http://feminity.toshiba.co.jp/feminity/index_j.html＞
【発明の概要】
【発明が解決しようとする課題】
【０００６】
本発明が解決しようとする課題は、機器を自動制御して利便性を高める制御装置、制御システム及び制御方法を提供することである。
【課題を解決するための手段】
【０００７】
実施形態の制御装置は、ユーザ端末を識別する識別情報と、該ユーザ端末が所定のエリア内に進入した場合に制御するエリア内制御対象機器および該エリア内制御対象機器の制御内容と、該ユーザ端末が所定のエリア外に退出した場合に制御するエリア外制御対象機器および該エリア外制御対象機器の制御内容とを対応付けて記憶する記憶部と、前記ユーザ端末と通信を行う通信部と、前記通信部によって行われた前記ユーザ端末との通信に応じて、前記ユーザ端末が所定のエリア内に進入したかエリア外に退出したかを判定する判定部と、前記判定部によって前記ユーザ端末がエリア内に進入したと判定された場合には、該ユーザ端末の識別情報に対応するエリア内制御対象機器および制御内容を前記記憶部から取得し、該制御内容に基づいて該エリア内制御対象機器を制御し、前記判定部によって前記ユーザ端末がエリア外に退出したと判定された場合には、該ユーザ端末の識別情報に対応するエリア外制御対象機器および制御内容を前記記憶部から取得し、該制御内容に基づいて該エリア外制御対象機器を制御する制御部とを具備する。
【発明の効果】
【０００８】
実施形態に係る制御装置、制御システム及び制御方法によれば、機器を自動制御して利便性を高めることが期待できる。
【図面の簡単な説明】
【０００９】
【図１】図１は、第１の実施形態に係る制御システムの一例の概要を示す図である。
【図２】図２は、第１の実施形態に係るホームゲートウェイの構成の一例を示す図である。
【図３】図３は、第１の実施形態に係るホームゲートウェイの通信範囲について説明する図である。
【図４】図４は、第１の実施形態に係る登録機器リスト記憶部に記憶される情報の一例を説明する図である。
【図５】図５は、第１の実施形態に係るホームゲートウェイにおける機器制御処理の流れの一例を示すフローチャートである。
【図６】図６は、第２の実施形態に係る登録機器リスト記憶部に記憶される情報の一例を説明する図である。
【図７】図７は、ＥＩＲ（Extended  Inquiry  Request）に含まれる情報の一例を示す図である。
【図８】図８は、第３の実施形態に係る登録機器リスト記憶部に記憶される情報の一例を説明する図である。
【図９】図９は、第４の実施形態に係る登録機器リスト記憶部に記憶される情報の一例を説明する図である。
【発明を実施するための形態】
【００１０】
以下で説明する実施形態に係る制御装置は、ユーザ端末を識別する識別情報と、該ユーザ端末が所定のエリア内に進入した場合に制御するエリア内制御対象機器および該エリア内制御対象機器の制御内容とを対応付けて記憶するとともに、ユーザ端末を識別する識別情報と、該ユーザ端末が所定のエリア外に退出した場合に制御するエリア外制御対象機器および該エリア外制御対象機器の制御内容とを対応付けて記憶する記憶部と、ユーザ端末と通信を行う通信部と、通信部によって行われたユーザ端末との通信に応じて、ユーザ端末が所定のエリア内に進入したかエリア外に退出したかを判定する判定部と、判定部によってユーザ端末がエリア内に進入したと判定された場合には、該ユーザ端末の識別情報に対応するエリア内制御対象機器および制御内容を前記記憶部から取得し、該制御内容に基づいて該エリア内制御対象機器を制御し、判定部によってユーザ端末がエリア外に退出したと判定された場合には、該ユーザ端末の識別情報に対応するエリア外制御対象機器および制御内容を記憶部から取得し、該制御内容に基づいて該エリア外制御対象機器を制御する制御部とを具備する。
【００１１】
また、実施形態に係る制御装置の判定部は、通信部によって機器発見したユーザ端末をエリア内に進入したと判定し、機器発見で見つからないユーザ端末をエリア外に退出したと判定する。
【００１２】
また、実施形態に係る制御装置の判定部は、通信部によって通信接続が確立したユーザ端末をエリア内に進入したと判定し、通信接続が切断したユーザ端末をエリア外に退出したと判定する。
【００１３】
また、実施形態に係る制御装置の記憶部は、識別情報に対応付けて、エリア内制御対象機器を制御する日時または曜日の範囲と、エリア外制御対象機器を制御する日時または曜日の範囲をさらに記憶する。制御部は、判定部によってユーザ端末がエリア内に進入したと判定された際に、エリア内制御対象機器および制御内容とともに、日時または曜日の範囲を記憶部から取得し、該日時または曜日の範囲に現在の日時または現在の曜日が含まれる場合には、該エリア内制御対象機器を制御し、判定部によってユーザ端末がエリア外に退出したと判定された際に、エリア外制御対象機器および制御内容とともに、日時または曜日の範囲を記憶部から取得し、該日時または曜日の範囲に現在の日時または現在の曜日が含まれる場合には、該エリア内制御対象機器を制御する。
【００１４】
また、実施形態に係る制御装置の判定部は、ユーザ端末との通信信号強度、例えば、通信部によって送信された信号の送信信号強度と、通信部によって受信された信号の受信信号強度とを用いて、ユーザ端末との距離をさらに判定する。
【００１５】
また、実施形態に係る制御装置の判定部は、通信部によって行われたユーザ端末との通信に応じて、複数のユーザ端末が所定のエリア内に進入したかエリア外に退出したかを判定し、判定部によって複数のユーザ端末がエリア内に進入したと判定された場合には、各ユーザ端末の識別情報に対応するエリア内制御対象機器および制御内容を記憶部からそれぞれ取得し、複数の制御内容に基づいて該エリア内制御対象機器を制御し、判定部によって複数のユーザ端末がエリア外に退出したと判定された場合には、各ユーザ端末の識別情報に対応するエリア外制御対象機器および制御内容を記憶部からそれぞれ取得し、複数の制御内容に基づいて該エリア外制御対象機器を制御する。
【００１６】
また、実施形態に係る制御システムは、ユーザ端末と、制御対象の機器と、制御装置とを有する制御システムであって、制御装置が、ユーザ端末を識別する識別情報と、該ユーザ端末が所定のエリア内に進入した場合に制御するエリア内制御対象機器および該エリア内制御対象機器の制御内容とを対応付けて記憶するとともに、前記ユーザ端末を識別する識別情報と、該ユーザ端末が所定のエリア外に退出した場合に制御するエリア外制御対象機器および該エリア外制御対象機器の制御内容とを対応付けて記憶する記憶部と、ユーザ端末と通信を行う通信部と、通信部によって行われたユーザ端末との通信に応じて、ユーザ端末が所定のエリア内に進入したかエリア外に退出したかを判定する判定部と、判定部によってユーザ端末がエリア内に進入したと判定された場合には、該ユーザ端末の識別情報に対応するエリア内制御対象機器および制御内容を記憶部から取得し、該制御内容に基づいて該エリア内制御対象機器を制御し、判定部によってユーザ端末がエリア外に退出したと判定された場合には、該ユーザ端末の識別情報に対応するエリア外制御対象機器および制御内容を記憶部から取得し、該制御内容に基づいて該エリア外制御対象機器を制御する制御部と、を具備する。
【００１７】
また、実施形態に係る制御方法は、制御装置によって実行される制御方法であって、制御装置が、ユーザ端末を識別する識別情報と、該ユーザ端末が所定のエリア内に進入した場合に制御するエリア内制御対象機器および該エリア内制御対象機器の制御内容とを対応付けて記憶するとともに、前記ユーザ端末を識別する識別情報と、該ユーザ端末が所定のエリア外に退出した場合に制御するエリア外制御対象機器および該エリア外制御対象機器の制御内容とを対応付けて記憶する記憶部を具備し、ユーザ端末と通信を行う通信ステップと、通信ステップによって行われたユーザ端末との通信に応じて、ユーザ端末が所定のエリア内に進入したかエリア外に退出したかを判定する判定ステップと、判定ステップによってユーザ端末がエリア内に進入したと判定された場合には、該ユーザ端末の識別情報に対応するエリア内制御対象機器および制御内容を記憶部から取得し、該制御内容に基づいて該エリア内制御対象機器を制御し、判定ステップによってユーザ端末がエリア外に退出したと判定された場合には、該ユーザ端末の識別情報に対応するエリア外制御対象機器および制御内容を記憶部から取得し、該制御内容に基づいて該エリア外制御対象機器を制御する制御ステップとを含む。
【００１８】
［第１の実施形態］
以下に、本発明にかかる制御装置の実施形態を図面に基づいて詳細に説明する。
【００１９】
［制御システムの構成の一例］
図１は、制御システムの一例の概要を示す図である。図１を参照し、実施形態に係る制御装置であるホームゲートウェイ１を含む制御システム１００の一例につき説明する。図１に示す実施形態に係る制御システム１００は、ホームゲートウェイ１と、ＬＥＤ照明２と、スマートフォン３と、スマートフォン４と、ＬＥＤ照明５と、を備える。
【００２０】
ホームゲートウェイ１は、ＨＥＭＳ機器のコントロールを行う機器であり、ＬＥＤ照明２およびＬＥＤ照明５と無線または有線の任意の通信手段、たとえばＢｌｕｅｔｏｏｔｈ（登録商標）により接続しＥＣＨＯＮＥＴＬｉｔｅによる通信を行うことで各ＬＥＤ照明２、５のＯＮ／ＯＦＦや調光、調色といった制御指示を行う。また、後述するスマートフォン３とスマートフォン４とは任意の通信手段、たとえば無線ＬＡＮで接続を行い、スマートフォン３やスマートフォン４からのＥＣＨＯＮＥＴＬｉｔｅによるＬＥＤ照明２への制御コマンドの中継を行う。
【００２１】
ＬＥＤ照明２およびＬＥＤ照明５は、ＥＣＨＯＮＥＴＬｉｔｅによる通信機能を備えており、ホームゲートウェイ１、スマートフォン３またはスマートフォン４からのＥＣＨＯＮＥＴＬｉｔｅコマンドを受信して、現在のＬＥＤ照明２、５の動作情報を応答したり、ＬＥＤ照明２、５のＯＮ／ＯＦＦや調光、調色といった指示命令を受信して、それに応じた動作を行ったりする事が出来る。
【００２２】
スマートフォン３は、ユーザ端末であり、ホームゲートウェイ１と無線ＬＡＮで接続を行い、スマートフォン３で動作するアプリケーションプログラムまたはホームゲートウェイ１が提供するＷＥＢコンテンツをインターネットブラウザで表示する事によりホームゲートウェイ１を介してＬＥＤ照明２またはＬＥＤ照明５に対するＬＥＤ照明のＯＮ／ＯＦＦや調光、調色の指示を行う事が出来る。なお、スマートフォン４もスマートフォン３と同様の機能を具備するものとする。
【００２３】
［ホームゲートウェイの構成の一例］
図２を参照し、ホームゲートウェイ１の構成について説明する。図２は、ホームゲートウェイの構成の一例を示す図である。ホームゲートウェイ１は、通信部１１と、制御部１２と、記憶部１３と、を備える。
【００２４】
通信部１１は、無線通信処理や有線通信処理を行うためのネットワークデバイスである。具体的には、通信部１１は、図１に示したＬＥＤ照明２、５やスマートフォン３、４との間で、無線通信又は有線通信により各種情報を送受信する。
【００２５】
通信部１１は、Ｂｌｕｅｔｏｏｔｈなどの近距離無線技術や無線ＬＡＮ（Local  Area  Network）を用いて、スマートフォン３、４等のユーザ端末と通信を行う。ここで、図３を用いて、ホームゲートウェイ１における通信部１１の通信範囲について説明する。図３は、第１の実施形態に係るホームゲートウェイの通信範囲について説明する図である。図３の例では、ホームゲートウェイ１の通信部１１が他の機器と通信可能な範囲は点線で示す円６の内側であり、この円６の内側に進入している機器がホームゲートウェイとＢｌｕｅｔｏｏｔｈによる無線通信が可能である。
【００２６】
また、図３の例を用いて具体的に説明すると、スマートフォン３は点線の円６の外側であるためホームゲートウェイ１とＢｌｕｅｔｏｏｔｈによる通信できない状態にあるが、スマートフォン４は点線の円６の内側に進入しているためホームゲートウェイ１とＢｌｕｅｔｏｏｔｈによる通信が出来る状態にある。
【００２７】
記憶部１３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部１３は、登録機器リスト記憶部１３ａを有する。
【００２８】
登録機器リスト記憶部１３ａは、ユーザ端末を識別する識別情報と、該ユーザ端末が所定のエリア内に進入した場合に制御するエリア内制御対象機器および該エリア内制御対象機器の制御内容とを対応付けて記憶するとともに、ユーザ端末を識別する識別情報と、該ユーザ端末が所定のエリア外に退出した場合に制御するエリア外制御対象機器および該エリア外制御対象機器の制御内容とを対応付けて記憶する。
【００２９】
例えば、登録機器リスト記憶部１３ａは、図４に例示するように、本リストには登録されているユーザ端末の名称である「登録機器名」と、各ユーザ端末の「Ｂｌｕｔｏｏｔｈアドレス」と、各ユーザ端末がホームゲートウェイ１の通信エリアに進入した場合の制御対象機器と「進入時制御」と、各ユーザ端末がホームゲートウェイ１の通信エリアから退出した場合の「退出時制御」と、各ユーザ端末がホームゲートウェイ１の通信エリアに進入するとＯＮとなり退出するとＯＦＦになる「進入フラグ」とを対応付けて記憶する。図４は、第１の実施形態に係る登録機器リスト記憶部に記憶される情報の一例を説明する図である。
【００３０】
図４の例では、例えば、登録機器名「スマートフォン３」と、Ｂｌｕｅｔｏｏｔｈアドレス「ＡＡ：ＢＢ：ＣＣ：ＤＤ：ＥＥ：３３」と、進入時制御「ＬＥＤ＿ＬＩＧＨＴ＿Ａ  ＯＮ」と、退出時制御「ＬＥＤ＿ＬＩＧＨＴ＿Ａ  ＯＦＦ」と、進入フラグ「ＯＦＦ」とを対応付けて記憶する。なお、ここでは、図４における「ＬＥＤ＿ＬＩＧＨＴ＿Ａ」とは、ＬＥＤ照明２のことを示し、「ＬＥＤ＿ＬＩＧＨＴ＿Ｂ」とは、ＬＥＤ照明５のことを示しているものとする。なお、進入時制御「ＬＥＤ＿ＬＩＧＨＴ＿Ａ  ＯＮ」とある場合には、「ＬＥＤ＿ＬＩＧＨＴ＿Ａ」がエリア内制御対象機器に該当し、「ＬＥＤ＿ＬＩＧＨＴ＿Ａ」を「ＯＮ」するという内容が制御内容に該当する。また、退出時制御「ＬＥＤ＿ＬＩＧＨＴ＿Ａ  ＯＦＦ」とある場合には、「ＬＥＤ＿ＬＩＧＨＴ＿Ａ」がエリア外制御対象機器に該当し、「ＬＥＤ＿ＬＩＧＨＴ＿Ａ」を「ＯＦＦ」するという内容が制御内容に該当する。
【００３１】
登録機器リスト記憶部１３ａは、例えば、スマートフォン３について、スマートフォン３がホームゲートウェイ１の通信エリアに進入した場合にはＬＥＤ照明２をＯＮする制御コマンドの発行をホームゲートウェイ１が実行することを規定している。また、登録機器リスト記憶部１３ａでは、「ＬＥＤ＿ＬＩＧＨＴ＿Ａ  ＯＦＦ」はホームゲートウェイ１の通信エリアから退出した場合にはＬＥＤ照明２をＯＦＦする制御コマンドの発行をホームゲートウェイ１が行うことを規定している。なお、本登録機器リストは、ホームゲートウェイ１上に用意されたＷｅｂコンテンツに対してスマートフォン等からインターネットでアクセスして表示される設定画面により、対象機器の登録、進入時制御処理内容、退出時制御処理内容を自由に変更できるものとする。また、制御対象の機器はＬＥＤ照明に限定されるものではなく、例えば、進入、退出に応じて、エアコンや鍵等を自動制御するように規定してもよい。
【００３２】
制御部１２は、例えば、ＡＳＩＣ（Application  Specific  Integrated  Circuit）やＦＰＧＡ（Field  Programmable  Gate  Array）等の集積回路により実現される。また、制御部１２は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。かかる制御部１２は、判定部１２ａと、制御部１２ｂとを有する。
【００３３】
判定部１２ａは、通信部１１によって行われたユーザ端末との通信に応じて、ユーザ端末が所定のエリア内に進入したかエリア外に退出したかを判定する。具体的には、判定部１２ａは、通信部１１によって機器発見したユーザ端末をエリア内に進入したと判定し、機器発見で見つからないユーザ端末をエリア外に退出したと判定する。例えば、判定部１２ａは、通信部１１によりＢｌｕｅｔｏｏｔｈのＩｎｑｕｉｒｙが実行され、通信範囲に存在するユーザ端末から応答があった場合に、該ユーザ端末を機器発見したユーザ端末として、エリア内に進入したと判定する。また、通信部１１によりＢｌｕｅｔｏｏｔｈのＩｎｑｕｉｒｙが実行され、ユーザ端末から応答がなかった場合に、該ユーザ端末を機器発見で見つからないユーザ端末として、エリア外に退出したと判定する。なお、ユーザ端末が所定のエリア内に進入したかエリア外に退出したかを判定する処理にＢｌｕｅｔｏｏｔｈを必ずしも利用しなくてもよく、例えば、所定の通信手段を利用して、通信部１１によって通信接続が確立したユーザ端末をエリア内に進入したと判定し、通信接続が切断したユーザ端末をエリア外に退出したと判定するようにしてもよい。
【００３４】
制御部１２ｂは、判定部１２ａによってユーザ端末がエリア内に進入したと判定された場合には、該ユーザ端末の識別情報に対応するエリア内制御対象機器および制御内容を記憶部１３から取得し、該制御内容に基づいて該エリア内制御対象機器を制御し、判定部１２ａによってユーザ端末がエリア外に退出したと判定された場合には、該ユーザ端末の識別情報に対応するエリア外制御対象機器および制御内容を記憶部１３から取得し、該制御内容に基づいて該エリア外制御対象機器を制御する。
【００３５】
例えば、制御部１２ｂは、ユーザ端末がホームゲートウェイ１の通信エリア内に進入したと判定された場合には、ＬＥＤ照明２をＯＮする制御コマンドの発行を実行し、ユーザ端末がホームゲートウェイ１の通信エリアから退出した場合にはＬＥＤ照明２をＯＦＦする制御コマンドの発行を実行する。
【００３６】
このようにして、例えば、スマートフォン等のユーザ端末を持ったユーザが外出先から帰ってきて家の中に入ると自動的にホームゲートウェイ１がスマートフォンの進入検出をして進入時制御による制御を自動的に実行し、また、家から外出した際には自動的にホームゲートウェイ１がスマートフォンの退出検出をして退出時制御による制御を自動的に実行することでユーザは何も操作することなく自動的に機器制御を行うことが可能となる。
【００３７】
なお、進入、退出の検出を検知する機器としてスマートフォンを実施例に上げたが、たとえばホームゲートウェイ１によるＢｌｕｅｔｏｏｔｈのＩｎｑｕｉｒｙに応答出来る機器であれば、タブレット、ノートパソコン、ウェアラブル端末などといったデバイスであっても機器登録リストに登録して同様の制御を行うことが可能である。また、ここでは進入時制御および退出時制御にて制御される機器をＬＥＤ照明としたがこれに限られるものではなく、エアコン、テレビなどホームゲートウェイ１から機器制御が可能な機器であればなんでも対応が可能である。
【００３８】
なお、ＢｌｕｅｔｏｏｔｈのＩｎｑｕｉｒｙによりユーザ端末の検出を行う場合を説明したが、これに限定されるものではなく、機器登録リスト上のＢｌｕｅｔｏｏｔｈアドレスに対してホームゲートウェイ１が順番にＢｌｕｅｔｏｏｔｈによるリンク接続を行うＰａｇｉｎｇを行い、対象となるユーザ端末に対してＰａｇｉｎｇが成功してＢｌｕｅｔｏｏｔｈのリンクが確立した際にユーザ端末が進入したと判断してホームゲートウェイ１が進入時制御を実行し、また、対象となるユーザ端末とのＢｌｕｅｔｏｏｔｈリンクの切断をホームゲートウェイ１が検知した際には対象機器が退出したと判断してホームゲートウェイ１が退出時制御を実行するようにしてもよい。
【００３９】
この場合には、対象となるユーザ端末がＩｎｑｕｉｒｙの要求に対して応答しないＮｏｎ  Ｄｉｓｃｏｖｅｒａｂｌｅモードになっている場合でも、家電機器の自動制御が実現可能となる。また、家の内側にアクセスポイントやビーコンを設置し、ユーザ端末がアクセスポイントやビーコンと通信を行うことで、ユーザ端末の進入退出を判定するようにしてもよい。なお、ユーザ端末の検出手段は本実施形態の例に限定されるものではなく、ＢｌｕｅｔｏｏｔｈのＩｎｑｕｉｒｙに相当する機能によって実現可能であれば事足りる。
【００４０】
［ホームゲートウェイの処理手順］
図５を参照して、ホームゲートウェイ１における処理の流れの一例を説明する。図５は、第１の実施形態に係るホームゲートウェイにおける機器制御処理の流れの一例を示すフローチャートである。
【００４１】
図５に示すように、まず、ホームゲートウェイ１の通信部１１は、ＢｌｕｅｔｏｏｔｈのＩｎｑｕｉｒｙを実行する（ステップＳ１０１）。例えば、通信部１１は、ＢｌｕｅｔｏｏｔｈのＩｎｑｕｉｒｙを実行し、通信可能範囲に存在するユーザ端末の検索を一定時間（例えば、３０秒間）行う。そして、通信部１１は、通信可能範囲に存在するユーザ端末のＢｌｕｅｔｏｏｔｈアドレスのリストである発見機器リストを判定部１２ａに通知する。
【００４２】
そして、判定部１２ａは、発見機器リストとしてＢｌｕｅｔｏｏｔｈアドレスの一覧を取得する（ステップＳ１０２）。続いて、判定部１２ａは、取得した発見機器リストと機器登録リスト記憶部１３ａに記憶された機器登録リストのＢｌｕｅｔｏｏｔｈアドレスを照合する（ステップＳ１０３）。
【００４３】
この結果、判定部１２ａは、登録されている機器が発見機器リストに見つかったかどうかを判定する（ステップＳ１０４）。この結果、判定部１２ａは、登録されている機器が発見機器リストに見つかったと判定した場合は（ステップＳ１０４肯定）、進入フラグのステータスがＯＮであるかを確認する（ステップＳ１０５）。
【００４４】
この結果、進入フラグがＯＦＦである場合には（ステップＳ１０５否定）、制御部１２ｂは、登録機器リストの進入時制御に規定されている制御が実行される（ステップＳ１０６）。例えば、スマートフォン３の場合は、「ＬＥＤ＿ＬＩＧＨＴ＿Ａ  ＯＮ」という制御が実行されＬＥＤ照明２が点灯するコマンドがホームゲートウェイ１から発行される。次に、その機器の進入フラグを「ＯＮ」にし（ステップＳ１０７）、ステップＳ１０８の処理が実行される。また、ステップＳ１０５にて進入フラグが「ＯＮ」である場合には（ステップＳ１０５肯定）、既に進入しているため、ステップＳ１０８の処理が実行される。
【００４５】
ステップＳ１０４の処理に戻って、判定部１２ａは、登録されている機器が発見機器リストに見つからなかった場合には（ステップＳ１０４否定）、進入フラグのステータスがＯＮであるかを確認する（ステップＳ１０９）。
【００４６】
この結果、進入フラグがＯＮである場合には（ステップＳ１０９肯定）、制御部１２ｂは、登録機器リストの退出時制御に規定されている制御が実行される（ステップＳ１１０）。例えば、スマートフォン３の場合は、「ＬＥＤ＿ＬＩＧＨＴ＿Ａ  ＯＦＦ」という制御が実行されＬＥＤ照明２が消灯するコマンドがホームゲートウェイ１から発行される。次に、その機器の進入フラグを「ＯＦＦ」にし（ステップＳ１１１）、ステップＳ１０８の処理が実行される。また、ステップＳ１０９にて進入フラグが「ＯＦＦ」である場合には（ステップＳ１０９否定）、既に退出しているため、ステップＳ１０８の処理が実行される。
【００４７】
ステップＳ１０８において、判定部１２ａは、登録機器の検索を終了するか否かを判定する（ステップＳ１０８）。例えば、判定部１２ａは、照合を行っていない登録機器が存在するか否かを判定する。この結果、判定部１２ａは、照合を行っていない登録機器が存在する場合には、登録機器の検索を終了しないと判定し（ステップＳ１０８否定）、ステップＳ１０３の照合処理が再度実行され、登録機器の照合が全て終わった場合には、登録機器の検索を終了したと判定し（ステップＳ１０８肯定）、ステップＳ１０１のＩｎｑｕｉｒｙが再度実行される。
【００４８】
［第１の実施形態の効果］
このように、第１の実施形態に係るホームゲートウェイ１は、通信部１１と、判定部１２ａと、制御部１２ｂと、登録機器リスト記憶部１３ａとを具備する。登録機器リスト記憶部１３ａは、ユーザ端末を識別する識別情報と、該ユーザ端末が所定のエリア内に進入した場合に制御するエリア内制御対象機器および該エリア内制御対象機器の制御内容と、該ユーザ端末が所定のエリア外に退出した場合に制御するエリア外制御対象機器および該エリア外制御対象機器の制御内容とを対応付けて記憶する。通信部１１は、ユーザ端末と通信を行う。判定部１２ａは、通信部１１によって行われたユーザ端末との通信に応じて、ユーザ端末が所定のエリア内に進入したかエリア外に退出したかを判定する。制御部１２ｂは、判定部１２ａによってユーザ端末がエリア内に進入したと判定された場合には、該ユーザ端末の識別情報に対応するエリア内制御対象機器および制御内容を登録機器リスト記憶部１３ａから取得し、該制御内容に基づいて該エリア内制御対象機器を制御し、判定部１２ａによってユーザ端末がエリア外に退出したと判定された場合には、該ユーザ端末の識別情報に対応するエリア外制御対象機器および制御内容を登録機器リスト記憶部１３ａから取得し、該制御内容に基づいて該エリア外制御対象機器を制御する。このため、特定の家電機器を自動制御することができる。
【００４９】
例えば、従来では、ユーザが家に帰ってから照明をＯＮしたり、エアコンをＯＮしたり複数の機器を操作する必要があった。これらの機器をホームネットワークに接続し、スマートフォンからホームゲートウェイを介して制御することが可能であっても、操作手順が煩雑であった。これに対して、第１の実施形態に係るホームゲートウェイ１では、自動的に特定の家電機器を制御することが可能となり、ユーザが煩わしいリモコン操作を行う必要がなくなるので、利便性を高めることが可能である。
【００５０】
また、第１の実施形態に係るホームゲートウェイ１では、通信部１１によって機器発見したユーザ端末をエリア内に進入したと判定し、機器発見で見つからないユーザ端末をエリア外に退出したと判定する。このため、Ｂｌｕｅｔｏｏｔｈを用いて、ユーザ端末がエリア内に進入したか、エリア外に退出したかを容易に判定することができる。
【００５１】
［第２の実施形態］
上述の第１の実施形態では、進入退出を検出した際に必ず進入時制御および退出時制御が実行されるようになっていたが、これに限定されるものではなく、予め記憶された日時または曜日の範囲に現在の日時または現在の曜日が含まれる場合にのみ、進入退出を検出した際に進入時制御および退出時制御が実行されるようにしてもよい。
【００５２】
以下では、第２の実施形態として、識別情報に対応付けて、エリア内制御対象機器を制御する時間の範囲と、エリア外制御対象機器を制御する時間の範囲とをさらに記憶し、ユーザ端末がエリア内に進入したと判定された際に、エリア内制御対象機器および制御内容とともに、時間の範囲を登録機器リスト記憶部１３ａから取得し、該時間の範囲に現在の時刻が含まれる場合には、該エリア内制御対象機器を制御し、ユーザ端末がエリア外に退出したと判定された際に、エリア外制御対象機器および制御内容とともに、時間の範囲を登録機器リスト記憶部１３ａから取得し、該時間の範囲に現在の時刻が含まれる場合には、該エリア外制御対象機器を制御する場合について説明する。
【００５３】
まず、図６を用いて、第２の実施形態に係る登録機器リスト記憶部１３ａに記憶される登録機器リストについて説明する。図６は、第２の実施形態に係る登録機器リスト記憶部に記憶される情報の一例を説明する図である。図６に示すように、第２の実施形態に係る登録機器リスト記憶部１３ａでは、図４に示した登録機器リストと比較して、エリア内制御対象機器を制御する時間の範囲である「進入制御時刻」と、エリア外制御対象機器を制御する時間の範囲である「退出制御時刻」とがさらに記憶されている。
【００５４】
例えば、図６の例では、登録機器リスト記憶部１３ａには、登録機器名「スマートフォン３」に対応付けて、進入制御時刻「１７：００−２０：００」および退出制御時刻「０７：００−０９：００」が記憶されている。これは、スマートフォン３の場合は、時刻が１７：００から２０：００の間であった場合にのみ進入時制御が実行され、時刻が０７：００から０９：００の間であった場合にのみ退出時制御が実行されることを意味する。
【００５５】
第２の実施形態に係る制御部１２ｂは、判定部１２ａによってユーザ端末がエリア内に進入したと判定された際に、エリア内制御対象機器および制御内容とともに、時間の範囲を登録機器リスト記憶部１３ａから取得し、該時間の範囲に現在の時刻が含まれる場合には、該エリア内制御対象機器を制御する。
【００５６】
また、第２の実施形態に係る制御部１２ｂは、判定部１２ａによってユーザ端末がエリア外に退出したと判定された際に、エリア外制御対象機器および制御内容とともに、時間の範囲を登録機器リスト記憶部１３ａから取得し、該時間の範囲に現在の時刻が含まれる場合には、該エリア外制御対象機器を制御する。
【００５７】
つまり、Ｓ１０６で進入時制御実行する際に現在時刻が進入制御時刻に含まれている場合、つまりここではスマートフォン３の場合は時刻が１７：００から２０：００の間であった場合にのみ進入時制御が実行されるようにする。また、Ｓ１１０で退出時制御実行する際に現在時刻が退出制御時刻に含まれている場合、つまりここではスマートフォン３の場合は時刻が０７：００から０９：００の間であった場合にのみ退出時制御が実行されるようにする。このようにする事で自動制御を行いたい時間帯を設定する事が可能となりよりきめ細かい制御を実現可能となる。また、ここではそれぞれ一つの時間帯を設定するようにしてあるが複数の時間帯を設定できるようにしたり、曜日毎、日毎、月毎等のスケジュールを複数設定できるようにしたりしてより細かい制御を実行できるようにすることも可能である。
【００５８】
図５に示した第１の実施形態に係るホームゲートウェイにおける機器制御処理のステップＳ１０６の処理において、進入時制御実行する際に現在時刻が進入制御時刻に含まれている場合、つまり、ここではスマートフォン３の場合は時刻が１７：００から２０：００の間であった場合にのみ進入時制御が実行されるようにする。
【００５９】
また、図５に示した第１の実施形態に係るホームゲートウェイにおける機器制御処理のステップＳ１１０の処理において、退出時制御実行する際に現在時刻が退出制御時刻に含まれている場合、つまり、ここではスマートフォン３の場合は時刻が０７：００から０９：００の間であった場合にのみ退出時制御が実行されるようにする。
【００６０】
このように、第２の実施形態に係るホームゲートウェイでは、自動制御を行いたい時間帯を設定する事が可能となり、よりきめ細かい制御を実現可能となる。また、ここでは、それぞれ一つの時間帯を設定するようにしてあるが複数の時間帯を設定できるようにしたり、曜日毎、日毎、月毎等のスケジュールを複数設定できるようにしたりしてより細かい制御を実行できるようにすることも可能である。
【００６１】
［第３の実施形態］
上述の第１の実施形態では、ＢｌｕｅｔｏｏｔｈのＩｎｑｕｉｒｙで登録機器リストに登録されているユーザ端末が見つかったかどうかだけで進入、退出を検出していたが、これに限定されるものではなく、ＢｌｕｅｔｏｏｔｈのＥｘｔｅｎｄｅｄ  Ｉｎｑｕｉｒｙを用いてＢｌｕｅｔｏｏｔｈアドレスに加えて、受信信号強度を示すＥＩＲ（Extended  Inquiry  Request）＿ＲＳＳＩ（Received  Signal  Strength  Indication）および送信信号強度を示すＴＸ  Ｐｏｗｅｒ  Ｌｅｖｅｌを用いて、ユーザ端末との距離を推定し、当該距離によって機器を自動制御してもよい。
【００６２】
以下では、第３の実施形態として、Ｂｌｕｅｔｏｏｔｈを用いたユーザ端末との無線通信信号強度に応じてユーザ端末との距離を推定し、ユーザ端末が所定のエリア内に進入したかエリア外に退出したかを判定する場合について説明する。
【００６３】
第３の実施形態に係るホームゲートウェイの通信部１１は、Ｂｌｕｅｔｏｏｔｈを用いて、ユーザ端末に無線通信で信号を送信し、該ユーザ端末から無線通信で信号を受信する。具体的には、通信部１１は、ＢｌｕｅｔｏｏｔｈのＥｘｔｅｎｄｅｄ  Ｉｎｑｕｉｒｙを用いて、Ｂｌｕｅｔｏｏｔｈアドレスに加えてＥＩＲ＿ＲＳＳＩおよびＴＸ  Ｐｏｗｅｒ  Ｌｅｖｅｌを取得する。ここで、図７を用いて、ＥＩＲに含まれる情報の一例について説明する。図７は、ＥＩＲに含まれる情報の一例を示す図である。図７に示すように、ＥＩＲには、Ｂｌｕｅｔｏｏｔｈアドレスに加えて、受信信号強度を示すＥＩＲ＿ＲＳＳＩと送信信号強度を示すＴＸ  Ｐｏｗｅｒ  Ｌｅｖｅｌとが含まれており、ＥＩＲ＿ＲＳＳＩおよびＴＸ  Ｐｏｗｅｒ  Ｌｅｖｅｌを取得することができる。
【００６４】
また、判定部１２ａは、通信部１１によるユーザ端末との通信信号強度を用いて、ユーザ端末との距離をさらに判定する。具体的には、通信部１１によって送信された信号の信号強度と、通信部１１によって受信された信号の信号強度に応じて距離を判定し、該距離に応じて、ユーザ端末が所定のエリア内に進入したかエリア外に退出したかを判定する。
【００６５】
例えば、判定部１２ａは、ＥＩＲ＿ＲＳＳＩとＴＸ  Ｐｏｗｅｒ  Ｌｅｖｅｌを用いて下記の式により信号の減衰量を、距離に関する値として計算する事ができる。
減衰量＝ＴＸ  Ｐｏｗｅｒ  Ｌｅｖｅｌ−ＥＩＲ＿ＲＳＳＩ
【００６６】
この減衰量がより小さいとホームゲートウェイと発見されたユーザ端末の距離が近いと判定する事ができる。なお、この技術は、Bluetooth  Core  V2.1  +  EDRの仕様書の8.1.5  TX  Power  Levelに記載されている公知の技術である。該減衰量の値が第一の閾値未満である場合には、ユーザ端末が所定のエリア内に進入したと判定し、減衰量の値が第一の閾値以上またはＩｎｑｕｉｒｙの結果でユーザ端末が見つからなかった場合に、ユーザ端末が所定のエリア内を退出したと判定する。
【００６７】
このため、減衰量の閾値を調整する事により進入したとみなす距離を調整する事ができるようになり、ホームゲートウェイ１の設置環境等を考慮して機器の自動制御が実行される際の位置を調整できるようになりより利便性が高まる。
【００６８】
また、減衰量に応じて、制御の内容を変更するようにしてもよい。例えば、図８に例示するように、第３の実施形態に係る登録機器リスト記憶部１３ａに記憶される登録機器リストは、ユーザ端末が所定の距離未満である場合の「進入時制御（近）」と、ユーザ端末が所定の距離以上である場合の「進入時制御（遠）」とを記憶する。つまり、上記の処理で計算した減衰量の値が第一の閾値未満であるが、減衰量が第一の閾値よりも値が小さい第二の閾値未満である場合には、「進入時制御（近）」を実行し、減衰量が第二の閾値以上である場合には、「進入時制御（遠）」を実行する。図８は、第３の実施形態に係る登録機器リスト記憶部に記憶される情報の一例を説明する図である。
【００６９】
図８の例を用いて説明すると、例えば、スマートフォン３について、ホームゲートウェイとの距離が所定の距離未満である場合には、進入時制御（近）として、「ＬＥＤ＿ＬＩＧＨＴ＿Ａ」をＯＮする制御コマンドの発行をホームゲートウェイ１が実行する。また、スマートフォン３について、ホームゲートウェイとの距離が所定の距離以上である場合には、進入時制御（遠）として、「ＬＥＤ＿ＬＩＧＨＴ＿Ｃ」をＯＮする制御コマンドの発行をホームゲートウェイ１が実行する。
【００７０】
これにより、例えば、「ＬＥＤ＿ＬＩＧＨＴ＿Ａ」が家の中のＬＥＤ照明であり、「ＬＥＤ＿ＬＩＧＨＴ＿Ｃ」が家の庭にあるＬＥＤ照明であるものとする。この場合に、ホームゲートウェイとの距離が所定の距離以上である場合、つまり、家の中ではないが家の庭にいる場合には、家の庭にある門灯等のＬＥＤ照明を自動的にＯＮにし、ホームゲートウェイとの距離が所定の距離以内である場合、つまり、家の中にいる場合には、家の中にあるＬＥＤ照明を自動的にＯＮにする。このように、ホームゲートウェイとの距離に応じて、家電機器の制御内容を変えることができ、より利便性の高い家電機器の自動制御を実行することが可能である。
【００７１】
［第４の実施形態］
上述の第１の実施形態では、制御内容の例として、ユーザ端末の進入または退出に応じて、機器の電源のＯＮまたはＯＦＦを自動的に制御する場合を例として説明したが、これに限定されるものではなく、ユーザ端末の進入または退出に応じて、エアコンの設定温度等の機器の設定値等を自動的に制御するようにしてもよい。また、例えば、複数のユーザ端末が同時にエリア内に進入した場合には、複数のユーザ端末に対応する各進入時制御に応じて、進入時制御の内容を決定するようにしてもよい。そこで、以下では、第４の実施形態として、複数のユーザ端末に対応する各進入時制御または各退出時制御に応じて、進入時制御の内容を決定する処理について説明する。
【００７２】
まず、図９を用いて、第４の実施形態に係る登録機器リスト記憶部１３ａに記憶される登録機器リストについて説明する。図９は、第４の実施形態に係る登録機器リスト記憶部に記憶される情報の一例を説明する図である。図９に示すように、第４の実施形態に係る登録機器リスト記憶部１３ａでは、スマートフォン３の進入時制御として、「エアコンＯＮ  ２８度」、スマートフォン４の進入時制御として「エアコンＯＮ  ２４度」と記憶する。これは、スマートフォン３がエリア内に進入した場合には、エアコンをＯＮにし、設定温度を２８度に自動制御することを意味し、スマートフォン４がエリア内に進入した場合には、エアコンをＯＮにし、設定温度を２４度に自動制御することを意味する。
【００７３】
また、第４の実施形態に係る判定部１２ａは、通信部１１によって行われたユーザ端末との通信に応じて、複数のユーザ端末が所定のエリア内に進入したかエリア外に退出したかを判定する。そして、第４の実施形態に係る制御部１２ｂは、判定部１２ａによって複数のユーザ端末がエリア内に進入したと判定された場合には、各ユーザ端末の識別情報に対応するエリア内制御対象機器および制御内容を登録機器リスト記憶部１３ａからそれぞれ取得し、複数の制御内容に基づいて該エリア内制御対象機器を制御し、判定部１２ａによって複数のユーザ端末がエリア外に退出したと判定された場合には、各ユーザ端末の識別情報に対応するエリア外制御対象機器および制御内容を登録機器リスト記憶部１３ａからそれぞれ取得し、複数の制御内容に基づいて該エリア外制御対象機器を制御する。
【００７４】
例えば、図９の例を用いて説明すると、制御部１２ｂは、スマートフォン３およびスマートフォン４がエリア内に進入したと判定された場合には、スマートフォン３の進入時制御「エアコンＯＮ  ２８度」と、スマートフォン４の進入時制御「エアコンＯＮ  ２４度」とに基づき、「２８度」と「２４度」の平均値を計算し、平均値であるエアコンの温度を「２６度」に自動設定する。
【００７５】
また、例えば、スマートフォン３およびスマートフォン４に優先度をそれぞれ設定し、優先度の高い方の進入時制御を優先的に適用するようにしてもよい。例えば、スマートフォン３を所有するユーザである父と、スマートフォン４を所有するユーザである母とに、それぞれ優先順位の高低を予め設定しておき、スマートフォン３およびスマートフォン４が同時に進入または退出した場合に、優先度の高い方の進入時制御を優先的に適用するようにしてもよい。
【００７６】
このように、複数のユーザ端末に対応する各進入時制御または各退出時制御に応じて、進入時制御の内容を決定するので、複数のユーザに考慮した家電機器の自動制御を実行することが可能である。
【００７７】
［プログラム］
なお、ホームゲートウェイ１は、例えば、汎用のコンピュータ装置を基本ハードウェアとして実現することが可能である。すなわち、判定部１２ａ、制御部１２ｂは、上記のコンピュータ装置に搭載されたプロセッサにプログラムを実行させることにより実現することができる。判定部１２ａ、制御部１２ｂは、例えば、ＣＰＵ（Central  Processing  Unit）などの処理装置にプログラムを実行させること、すなわち、ソフトウェアにより実現してもよいし、ＩＣ（Integrated  Circuit）などのハードウェアにより実現してもよいし、ソフトウェアおよびハードウェアを併用して実現してもよい。
【００７８】
このとき、ホームゲートウェイ１は、上記のプログラムをコンピュータ装置にあらかじめインストールすることで実現してもよいし、ネットワークを介して上記のプログラムを配布して、このプログラムをコンピュータ装置に適宜インストールすることで実現してもよい。また、判定部１２ａ、制御部１２ｂは、上記のコンピュータ装置に内蔵あるいは外付けされたメモリやハードディスクなどの記憶媒体などを適宜利用して実現することができる。
【００７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１  ホームゲートウェイ
２、５  ＬＥＤ照明
３、４  スマートフォン
１１  通信部
１２  制御部
１２ａ  判定部
１２ｂ  制御部
１３  記憶部
１３ａ  登録機器リスト記憶部
１００  制御システム
【図１】
2016181752.tif 000003
【図２】
2016181752.tif 000004
【図３】
2016181752.tif 000005
【図４】
2016181752.tif 000006
【図５】
2016181752.tif 000007
【図６】
2016181752.tif 000008
【図７】
2016181752.tif 000009
【図８】
2016181752.tif 000010
【図９】
2016181752.tif 000011